Podtech/llm-jp-corpus-v4-ja_patent huggingface dataset:
【手続補正書】
【提出日】平成24年1月9日(2012.1.9)
【手続補正１】
【補正対象書類名】特許請求の範囲
【補正対象項目名】全文
【補正方法】変更
【補正の内容】
【特許請求の範囲】
【請求項１】
流体試料から細胞を集める装置であって、
所定のサイズの細胞を集めるように適合されたフィルタと、
前記フィルタへおよび前記フィルタから流体を送るように配置された流体経路と、
前記フィルタ上に細胞を集めるため、第１の方向に沿って前記試料を前記フィルタに通すように動作する第１のポンピング手段と、
細胞保存薬流体を収容する容器と、
前記フィルタから細胞を脱離させて集めるため、第２の方向に沿って細胞保存薬流体を前記容器から前記フィルタに通すように動作する第２のポンピング手段と、
前記流体経路に沿った流体の流れを調節するように適合された制御手段と
を備える装置。
【請求項２】
前記第１のポンピング手段が、前記流体経路に沿って前記流体を前記フィルタに押し付ける正圧、および前記流体経路に沿って前記流体を前記フィルタから引っ張る負圧を提供する、請求項１に記載の装置。
【請求項３】
重力送りを引き起こすため、濾過の間、前記流体経路を、前記流体試料が前記フィルタよりも上方に位置するように配置することにより、前記第１のポンピング手段が正圧を提供する、請求項２に記載の装置。
【請求項４】
前記第２のポンピング手段が、前記流体経路に沿って前記細胞保存薬流体を前記フィルタに押し付ける正圧、および前記流体経路に沿って前記細胞保存薬流体を前記フィルタから引っ張る負圧を提供する、請求項１から３に記載の装置。
【請求項５】
重力送りを引き起こすため、濾過後に、前記流体経路を、前記細胞保存薬流体が前記フィルタよりも上方に位置するように配置することにより、前記第２のポンピング手段が正圧を提供する、請求項４に記載の装置。
【請求項６】
前記第１のポンピング手段が蠕動ポンプを含む、前記請求項のいずれかに記載の装置。
【請求項７】
前記流体試料を前記フィルタから引っ張るため、濾過の間、蠕動ポンプをフィルタよりも下方に配置することにより、負圧が提供される、請求項２および６に記載の装置。
【請求項８】
前記第２のポンピング手段が蠕動ポンプを含む、前記請求項のいずれかに記載の装置。
【請求項９】
前記流体試料を前記フィルタから引っ張るため、濾過の間、前記蠕動ポンプを前記フィルタよりも下方に配置することにより、負圧が提供される、請求項４および８に記載の装置。
【請求項１０】
前記フィルタが、尿の中の膀胱上皮細胞、あるいは腎系、腎盂、前立腺の癌またはハイパー・ネフローマを指示する細胞を集めるように適合された、前記請求項のいずれかに記載の装置。
【請求項１１】
前記フィルタが、前記フィルタからの細胞の脱離を助けるため前記フィルタを振動させる振動機に動作可能に接続された、前記請求項のいずれかに記載の装置。
【請求項１２】
前記振動機によって、前記フィルタが、前記フィルタの濾過面の平面を中心に振動する、請求項１１に記載の装置。
【請求項１３】
流体試料から細胞を集める方法であって、
フィルタを含む流体経路を通して流体を制御可能にポンピングするステップと、
所定のサイズの細胞を集めるために前記流体を濾過するステップと
を含み、前記流体をポンピングするステップが、
前記フィルタ上に細胞を集めるため、第１の方向に沿って前記試料を前記フィルタに通すように、前記流体経路に沿って前記流体を前記フィルタから引っ張る第１の段階と、
前記フィルタから細胞を脱離させて集めるため、前記流体経路に接続された容器から第２の方向に沿って細胞保存薬流体をフィルタを通してポンピングする第２の段階と
を含む方法。
【請求項１４】
免疫学的検定を実行する方法であって、保存薬流体中に細胞を含む試料を、請求項１３に記載の方法に従って得るステップと、前記試料に対して免疫学的検定を実行するステップとを含む方法。
【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
受託番号Ｎｏ．ＣＮＣＭ Ｉ−３８５６の下にCollection Nationale de Cultures de Microorganismesに寄託されたSaccharomyces cerevisiae株または受託番号Ｎｏ．ＣＮＣＭ Ｉ−３７９９の下にCollection Nationale de Cultures de Microorganismesに寄託されたSaccharomyces cerevisiae var. boulardii株。
【請求項２】
請求項１に記載された株から得られるSaccharomyces cerevisiae酵母またはSaccharomyces cerevisiae var. boulardii 酵母。
【請求項３】
請求項２における酵母；および／または酵母抽出物、酵母細胞壁誘導体、酵母細胞壁グルカン、酵母細胞壁マンノプロテイン、脂質酵母画分、酵母核酸（ＲＮＡ、ＤＮＡ）画分から選択される少なくとも１つのSaccharomyces cerevisiae酵母誘導体；を含有することを特徴とする組成物。
【請求項４】
請求項３において、前記酵母が乾燥形態または新鮮形態であることを特徴とする組成物。
【請求項５】
請求項４において、前記酵母が瞬間乾燥形態または活性乾燥形態であることを特徴とする組成物。
【請求項６】
請求項３〜５のいずれか一項において、請求項２における酵母；および／または酵母抽出物、酵母細胞壁誘導体、酵母細胞壁グルカン、酵母細胞壁マンノプロテイン、脂質酵母画分、酵母核酸（ＲＮＡ、ＤＮＡ）画分から選択される少なくとも１つのSaccharomyces cerevisiae酵母誘導体；を１０７〜６×１０１０ＣＦＵで、含有することを特徴とする組成物。
【請求項７】
請求項３〜５のいずれか一項において、１ｍｇ〜１０ｇの請求項２における酵母；および／または酵母抽出物、酵母細胞壁誘導体、酵母細胞壁グルカン、酵母細胞壁マンノプロテイン、脂質酵母画分、酵母核酸（ＲＮＡ、ＤＮＡ）画分から選択される少なくとも１つのSaccharomyces cerevisiae酵母誘導体；を含有することを特徴とする組成物。
【請求項８】
ヒトおよび／または動物用の、補助食品および／またはプロバイオティックおよび／または医療食品および／または栄養補助食品および／または機能性成分および／または薬用化粧品および／または医薬有効成分を調製するための、請求項３〜７のいずれか一項における組成物の使用。
【請求項９】
胃腸の快適性を改善するおよび／または腸内菌叢を改善することを目的とした食品組成物を調製するための、請求項３〜７のいずれか一項の組成物の使用。
【請求項１０】
腸の障害、腸の機能障害または胃腸疾患を治療および／または予防することを目的とした薬剤を調製するための、請求項３〜７のいずれか一項の組成物の使用。
【請求項１１】
痛覚過敏の状態によって示される腸の病変または障害を治療および／または予防することを目的とした薬剤を調製するための、請求項３〜７のいずれか一項の組成物の使用。
【請求項１２】
請求項８〜１１のいずれか一項において、前記酵母が乾燥形態または新鮮形態である組成物の使用。
【請求項１３】
請求項１２において、前記酵母が瞬間乾燥形態または活性乾燥形態である組成物の使用。
【請求項１４】
請求項８〜１１のいずれか一項において、１日用量で前記酵母および／または酵母誘導体が１０７〜６×１０１０ＣＦＵ含有される組成物の使用。
【請求項１５】
請求項８〜１１のいずれか一項において、１日用量で前記酵母および／または酵母誘導体が１ｍｇ〜１０ｇ含有される組成物の使用。
【請求項１６】
経口投与に適した形態で、請求項２における酵母；および／または酵母抽出物、酵母細胞壁誘導体、酵母細胞壁グルカン、酵母細胞壁マンノプロテイン、脂質酵母画分、酵母核酸（ＲＮＡ、ＤＮＡ）画分から選択される少なくとも１つのSaccharomyces cerevisiae酵母誘導体；を含むキット。
【手続補正書】
【提出日】平成23年12月13日(2011.12.13)
【手続補正１】
【補正対象書類名】特許請求の範囲
【補正対象項目名】請求項２
【補正方法】変更
【補正の内容】
【請求項２】
前記非ヒト抗体が、受託番号ＦＥＲＭ  ＢＰ−１０５１２、ＦＥＲＭ  ＢＰ−１０５１０、ＦＥＲＭ  ＢＰ−１０５１１、ＦＥＲＭ  ＢＰ−１０５１３及びＦＥＲＭ  ＢＰ−１０８３２からなる群から選択されるハイブリドーマが産生するマウスモノクローナル抗体である、請求項１に記載のヒト化抗体又はその抗原結合フラグメント。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
少なくとも一部がバリア封入材内に配設された封入型光電子半導体デバイスと、
前記バリア封入材を介して電力およびデータの少なくとも一方を伝送するように構成された非接触電力伝送システムと
を備えるシステム。
【請求項２】
前記非接触電力伝送システムの第１の部分が、前記封入材の内側に配設され、前記非接触電力伝送システムの第２の部分が、前記封入材の外側に配設され、前記第１の部分が前記第２の部分と配線で接触しておらず、前記第１の部分および第２の部分が、前記バリア封入材を介してエネルギーを伝送するように構成された、請求項１記載のシステム。
【請求項３】
前記非接触電力伝送システムが誘導性電力伝送システムである、請求項２記載のシステム。
【請求項４】
前記バリア封入材が磁界に対して実質的に透過性である、請求項３記載のシステム。
【請求項５】
前記誘導性電力伝送システムが、前記バリア封入材の外側に配設された少なくとも１つの第１のインダクタコイルと、前記封入材の内側に配設された少なくとも１つの第２のインダクタコイルとを含む少なくとも１つの変圧器を備え、前記少なくとも１つの第１のインダクタコイルおよび前記少なくとも１つの第２のインダクタコイルが、前記バリア封入材を介してエネルギーを伝送するように構成された、請求項３記載のシステム。
【請求項６】
前記誘導性電力伝送システムが、少なくとも１つの第１または第２のインダクタコイルに隣接して少なくとも１層の磁性体層をさらに備える、請求項３記載のシステム。
【請求項７】
少なくとも１つの第１または第２のインダクタコイルが、前記少なくとも１層の磁性体層と前記バリア封入材との間に配置される、請求項６記載のシステム。
【請求項８】
前記少なくとも１層の磁性体層が分割層である、請求項６記載のシステム。
【請求項９】
ＤＣ電力を前記非接触電力伝送システムへのＡＣ電力入力に変換するためのインバータをさらに備える、請求項１記載のシステム。
【請求項１０】
高周波電力入力を前記非接触電力伝送システムに供給するための高周波発生器をさらに備える、請求項１記載のシステム。
【請求項１１】
前記非接触電力伝送システムからのＡＣ電力出力をＤＣ電力に変換するための整流器をさらに備える、請求項１記載のシステム。
【請求項１２】
前記整流器のＡＣ成分を低減させるように構成された少なくとも１つのフィルタコンデンサをさらに備える、請求項１１記載のシステム。
【請求項１３】
前記光電子半導体デバイスが照明デバイスであり、前記照明デバイスに給電するために電力が前記封入材を介して前記照明デバイスの中に結合される、請求項１記載のシステム。
【請求項１４】
集積非接触電力伝送光電子半導体デバイスシステムを製作する方法であって、
基板上に光電子半導体デバイスを設けること、
前記光電子半導体デバイスに動作可能に電気的に結合された第１の非接触電力伝送要素を設けること、
前記光電子半導体デバイスおよび前記第１の非接触電力伝送要素を取り囲んで、誘電体バリア封入材を設けること、ならびに
電源に動作可能に電気的に結合された第２の非接触電力伝送要素を、前記バリア封入材の外側かつ前記第１の非接触電力伝送要素の向かいに設けて、集積デバイスを形成すること
を含む方法。
【請求項１５】
非接触電力伝送光電子半導体デバイスシステムを製作する方法であって、
光電子半導体デバイスと共に集積され、かつバリア封入材の内側に配設された、第１の非接触電力伝送要素を設けること、および
基板上に配設され、前記バリア封入材の外側に配置され、かつ光電子半導体デバイスから離れて配設された、第２の非接触電力伝送要素を設けること
を含む方法。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
ＣＥＬＬ＿ＦＡＣＨ状態における無線リンク同期化及び電力制御のための方法であって、
ＲＡＣＨ（Ｒａｎｄｏｍ  Ａｃｃｅｓｓ  Ｃｈａｎｎｅｌ：ランダムアクセスチャネル）プリアンブルを送信するステップと、
ＲＡＣＨプリアンブルに応答して受信確認表示を受信するステップと、
Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ：フラクショナル専用物理チャネル）受信開始時間によってＦ−ＤＰＣＨを受信するステップであって、前記Ｆ−ＤＰＣＨ受信開始時間は、相対Ｆ−ＤＰＣＨタイミングオフセットパラメーター及び前記受信確認表示を含むＡＩＣＨ（Ａｃｑｕｉｓｉｔｉｏｎ  Ｉｎｄｉｃａｔｉｏｎ  Ｃｈａｎｎｅｌ：受信確認表示チャネル）アクセススロットのタイミングに基づいている、ステップと、
ＤＰＣＣＨ（Ｄｅｄｉｃａｔｅｄ  Ｐｈｙｓｉｃａｌ  Ｃｏｎｔｒｏｌ  Ｃｈａｎｎｅｌ：専用物理制御チャネル）送信開始時間によってＤＰＣＣＨを送信するステップであって、前記ＤＰＣＣＨ送信開始時間および前記Ｆ−ＤＰＣＨ受信開始時間は、所定のオフセットによってオフセットされる、ステップと
を備えることを特徴とする方法。
【請求項２】
前記相対Ｆ−ＤＰＣＨタイミングオフセットパラメーターは、前記ＲＡＣＨプリアンブルを送信する前に受信されることを特徴とする請求項１に記載の方法。
【請求項３】
前記Ｆ−ＤＰＣＨ受信開始時間は、２５６チップで乗算した前記相対Ｆ−ＤＰＣＨタイミングオフセットパラメーターを所定のチップ数に加算して最初のオフセットを算出し、前記最初のオフセットを前記受信確認表示を含む前記ＡＩＣＨアクセススロットの開始に加算することにより算出され、
前記ＤＰＣＣＨ送信開始時間は、前記所定のオフセットを前記Ｆ−ＤＰＣＨ受信開始時間に加算することにより算出されることを特徴とする請求項１に記載の方法。
【請求項４】
前記相対Ｆ−ＤＰＣＨタイミングオフセットパラメーターは、ＳＩＢ（Ｓｙｓｔｅｍ  Ｉｎｆｏｒｍａｔｉｏｎ  Ｂｌｏｃｋ：システム情報ブロック）を介して受信されることを特徴とする請求項１に記載の方法。
【請求項５】
前記ＤＰＣＣＨの前記送信は、電力制御プリアンブルから始めることを特徴とする請求項１に記載の方法。
【請求項６】
前記ＲＡＣＨプリアンブルは、ランダムに選択されたシグネチャを利用して送信されることを特徴とする請求項１に記載の方法。
【請求項７】
Ｅ−ＤＣＨ（Ｅｎｈａｎｃｅｄ  ｄｅｄｉｃａｔｅｄ  ｃｈａｎｎｅｌ：拡張専用チャネル）を介してＲＡＣＨメッセージを送信するステップをさらに備えることを特徴とする請求項１に記載の方法。
【請求項８】
Ｅ−ＤＣＨフレームの開始は、前記ＲＡＣＨプリアンブル送信と前記ＲＡＣＨメッセージ送信との間の遅延を最小化するスロットで発生することを特徴とする請求項７に記載の方法。
【請求項９】
前記受信確認表示は、Ｅ−ＤＣＨ（Ｅｎｈａｎｃｅｄ  ｄｅｄｉｃａｔｅｄ  ｃｈａｎｎｅｌ：拡張専用チャネル）リソースへのインデックスを表示することを特徴とする請求項１に記載の方法。
【請求項１０】
前記所定のオフセットは、１０２４チップであることを特徴とする請求項１に記載の方法。
【請求項１１】
ＣＥＬＬ＿ＦＡＣＨ状態における無線リンク同期化及び電力制御のためのＷＴＲＵ（Ｗｉｒｅｌｅｓｓ  ｔｒａｎｓｍｉｔ/ｒｅｃｅｉｖｅ  ｕｎｉｔ：無線送受信ユニット）であって、
ＲＡＣＨ（Ｒａｎｄｏｍ  Ａｃｃｅｓｓ  Ｃｈａｎｎｅｌ：ランダムアクセスチャネル）プリアンブルを送信する手段と、
ＲＡＣＨプリアンブルに応答して受信確認表示を受信する手段と、
Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ：フラクショナル専用物理チャネル）受信開始時間によってＦ−ＤＰＣＨを受信する手段であって、前記Ｆ−ＤＰＣＨ受信開始時間は、相対Ｆ−ＤＰＣＨタイミングオフセットパラメーター及び前記受信確認表示を含むＡＩＣＨ（Ａｃｑｕｉｓｉｔｉｏｎ  Ｉｎｄｉｃａｔｉｏｎ  Ｃｈａｎｎｅｌ：受信確認表示チャネル）アクセススロットのタイミングに基づいている、手段と、
ＤＰＣＣＨ（Ｄｅｄｉｃａｔｅｄ  Ｐｈｙｓｉｃａｌ  Ｃｏｎｔｒｏｌ  Ｃｈａｎｎｅｌ：専用物理制御チャネル）送信開始時間によってＤＰＣＣＨを送信する手段であって、前記ＤＰＣＣＨ送信開始時間および前記Ｆ−ＤＰＣＨ受信開始時間は、所定のオフセットによってオフセットされる、手段と
を備えることを特徴とするＷＴＲＵ。
【請求項１２】
前記相対Ｆ−ＤＰＣＨタイミングオフセットパラメーターは、前記ＲＡＣＨプリアンブルを送信する前に受信されることを特徴とする請求項１１に記載のＷＴＲＵ。
【請求項１３】
前記Ｆ−ＤＰＣＨ受信開始時間は、２５６チップで乗算した前記相対Ｆ−ＤＰＣＨタイミングオフセットパラメーターを所定のチップ数に加算して最初のオフセットを算出し、前記最初のオフセットを前記受信確認表示を含む前記ＡＩＣＨアクセススロットの開始に加算することにより算出され、
前記ＤＰＣＣＨ送信開始時間は、前記所定のオフセットを前記Ｆ−ＤＰＣＨ受信開始時間に加算することにより算出されることを特徴とする請求項１１に記載のＷＴＲＵ。
【請求項１４】
前記相対Ｆ−ＤＰＣＨタイミングオフセットパラメーターは、ＳＩＢ（Ｓｙｓｔｅｍ  Ｉｎｆｏｒｍａｔｉｏｎ  Ｂｌｏｃｋ：システム情報ブロック）を介して受信されることを特徴とする請求項１１に記載のＷＴＲＵ。
【請求項１５】
前記ＤＰＣＣＨの前記送信は、電力制御プリアンブルから始めることを特徴とする請求項１１に記載のＷＴＲＵ。
【請求項１６】
前記ＲＡＣＨプリアンブルは、ランダムに選択されたシグネチャを利用して送信されることを特徴とする請求項１１に記載のＷＴＲＵ。
【請求項１７】
Ｅ−ＤＣＨ（Ｅｎｈａｎｃｅｄ  ｄｅｄｉｃａｔｅｄ  ｃｈａｎｎｅｌ：拡張専用チャネル）を介してＲＡＣＨメッセージを送信する手段をさらに備えることを特徴とする請求項１１に記載のＷＴＲＵ。
【請求項１８】
Ｅ−ＤＣＨフレームの開始は、前記ＲＡＣＨプリアンブル送信と前記ＲＡＣＨメッセージ送信との間の遅延を最小化するスロットで発生することを特徴とする請求項１７に記載のＷＴＲＵ。
【請求項１９】
前記受信確認表示は、Ｅ−ＤＣＨ（Ｅｎｈａｎｃｅｄ  ｄｅｄｉｃａｔｅｄ  ｃｈａｎｎｅｌ：拡張専用チャネル）リソースへのインデックスを表示することを特徴とする請求項１１に記載のＷＴＲＵ。
【請求項２０】
前記所定のオフセットは、１０２４チップであることを特徴とする請求項１１に記載のＷＴＲＵ。
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
基端及び先端を有するとともに少なくとも一つの内腔を定義する長手方向に延びる本体と、
前記内腔に配置されるガリウムとインジウムとの液体合金と、
からなるカテーテルにおいて、
前記内腔は、前記基端から前記本体を貫通して前記先端まで長手方向に延びるとともに折り返して前記基端まで戻る、カテーテル。
【請求項２】
請求項１に記載のカテーテルは前記本体の先端に配置されるバルーンを更に含み、前記バルーンの壁は前記内腔と流体連通する流体通路を定義する、カテーテル。
【請求項３】
前記バルーンの流体通路は前記内腔と直列的に流体連通されている、請求項２に記載のカテーテル。
【請求項４】
前記バルーンの流体通路は、前記内腔よりも狭い断面を有する、請求項２又は３に記載のカテーテル。
【請求項５】
前記ガリウムとインジウムとの液体合金はガリスタンを含む、請求項１乃至４のいずれか一項に記載のカテーテル。
【請求項６】
請求項１乃至５のいずれか一項に記載のカテーテルは前記ガリウムとインジウムとの液体合金と電気的に連通される電源を更に含み、前記液体合金は電流に対する導電管を提供する、カテーテル。
【請求項７】
前記内腔は、その断面が前記本体の基端部よりも前記本体の先端部では狭くなっている、請求項６に記載のカテーテル。
【請求項８】
前記ガリウムとインジウムとの液体合金は前記内腔を貫通して流れる、請求項６又は７に記載のカテーテル。
【請求項９】
請求項６乃至８のいずれか一項に記載のカテーテルは、前記内腔に配置される電気絶縁性かつ熱伝導性の粒子を更に含み、前記粒子は熱によって膨張するとともに、導電管を提供する液体合金を分離するために前記内腔を塞ぐ、カテーテル。
【請求項１０】
前記ガリウムとインジウムとの液体合金は電流に対する導電管を提供し、前記バルーンの周囲の組織を加熱する、請求項６乃至９のいずれか一項に記載のカテーテル。
【手続補正２】
【補正対象書類名】明細書
【補正対象項目名】発明の名称
【補正方法】変更
【補正の内容】
【発明の名称】カテーテル
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
以下の式の化合物又は該化合物の薬学的に許容される塩。
【化１】
2011509942.tif 000001
（式中、ｍは、０、１、２、３、４、５、６、７又は８であり、
Ｒ１は、水素、又は１〜３個の炭素原子を有するアルキルであり、
Ｒ２は、水素、ハロ、１〜３個の炭素原子を有するアルキル、又は１〜３個の炭素原子を有するアルコキシであり、
Ａは、ハロ、ヒドロキシ、１又は２個の炭素原子を有するアルキル、パーフルオロメチル、１又は２個の炭素原子を有するアルコキシ及びパーフルオロメトキシから選択される１又は２個の基により置換された、又は未置換のフェニル；
３〜６個の環炭素原子を有するシクロアルキルであって、未置換であるか、１又は２個の環炭素が独立してメチル又はエチルで単置換されたシクロアルキル；又は
Ｎ、Ｓ、及びＯから選択される１又は２個のヘテロ環原子を有し、環炭素で式Ｉの化合物の残りの部分と共有結合している５若しくは６員環の芳香族複素環である）
【請求項２】
ｍが２又は４であり、Ｒ２が水素であり、及び
Ａが、クロロ、ブロモ、ヨード、ヒドロキシ、１又は２個の炭素原子を有するアルキル及びパーフルオロメチルからなる群より選択される置換基で２位及び６位のそれぞれで独立に置換されたフェニルである、請求項１に記載の化合物又は塩。
【請求項３】
Ａが、２，６−ジメチルフェニルである、請求項１又は２に記載の化合物又は塩。
【請求項４】
化合物が、４−（３−（２，６−ジメチルベンゾイルオキシ）フェニル）−４−オキソブタン酸である、請求項１〜３のいずれかに記載の化合物又は塩。
【請求項５】
インスリン抵抗性症候群、糖尿病、多嚢胞性卵巣症候群、脂質異常症、脂肪肝疾患、悪液質、肥満、アテローム性動脈硬化及び動脈硬化からなる群より選択される疾患を有する哺乳類対象を治療する生物活性物質であって、
以下の式の化合物又は該化合物の薬学的に許容される塩である生物活性物質。
【化２】
2011509942.tif 000002
（式中、ｍは、０、１、２、３、４、５、６、７又は８であり、
Ｒ１は、水素、又は１〜３個の炭素原子を有するアルキルであり、
Ｒ２は、水素、ハロ、１〜３個の炭素原子を有するアルキル、又は１〜３個の炭素原子を有するアルコキシであり、
Ａは、ハロ、ヒドロキシ、１又は２個の炭素原子を有するアルキル、パーフルオロメチル、１又は２個の炭素原子を有するアルコキシ及びパーフルオロメトキシ、から選択される１又は２個の基により置換された、又は未置換のフェニル；
３〜６個の環炭素原子を有するシクロアルキルであって、未置換であるか、１又は２個の環炭素が独立してメチル又はエチルで単置換されたシクロアルキル；又は
Ｎ、Ｓ、及びＯから選択される１又は２個のヘテロ環原子を有し、環炭素で式Ｉの化合物の残りの部分と共有結合している５若しくは６員環の芳香族複素環である）
【請求項６】
ｍが２又は４であり、Ｒ２が水素であり、及び
Ａが、クロロ、ブロモ、ヨード、ヒドロキシ、１又は２個の炭素原子を有するアルキル及びパーフルオロメチルからなる群より選択される置換基で２位及び６位のそれぞれで独立に置換されたフェニルである、請求項５に記載の生物活性物質。
【請求項７】
Ａが、２，６−ジメチルフェニルである、請求項５又は６に記載の生物活性物質。
【請求項８】
化合物が、４−（３−（２，６−ジメチルベンゾイルオキシ）フェニル）−４−オキソブタン酸である、請求項５〜７のいずれかに記載の生物活性物質。
【請求項９】
対象がヒトである、請求項５〜８のいずれかに記載の生物活性物質。
【請求項１０】
１日当たり１ミリグラム〜４００ミリグラムの量での経口投与に適した、請求項９に記載の生物活性物質。
【請求項１１】
疾患が、インスリン抵抗性症候群又はII型糖尿病である、請求項５〜１０のいずれかに記載の生物活性物質。
【請求項１２】
治療が、糖尿病の症状を低減、又は糖尿病の症状を発症する可能性を低減し、前記症状が、糖尿病と併発するアテローム性動脈硬化、肥満、高血圧、脂質異常症、脂肪肝疾患、腎症、神経障害、網膜症、足潰瘍及び白内障からなる群より選択される、請求項５〜１１のいずれかに記載の生物活性物質。
【請求項１３】
薬学的に許容される担体と、１ミリグラム〜４００ミリグラムの生物活性物質とを含む、経口投与に適した医薬組成物であって、
前記物質が、以下の式の化合物又は該化合物の薬学的に許容される塩である、医薬組成物。
【化３】
2011509942.tif 000003
（式中、ｍは、０、１、２、３、４、５、６、７又は８であり、
Ｒ１は、水素、又は１〜３個の炭素原子を有するアルキルであり、
Ｒ２は、水素、ハロ、１〜３個の炭素原子を有するアルキル、又は１〜３個の炭素原子を有するアルコキシであり、
Ａは、ハロ、ヒドロキシ、１又は２個の炭素原子を有するアルキル、パーフルオロメチル、１又は２個の炭素原子を有するアルコキシ、及びパーフルオロメトキシから選択される１又は２個の基により置換された、又は未置換のフェニル；
３〜６個の環炭素原子を有するシクロアルキルであって、未置換であるか、１又は２個の環炭素が独立してメチル又はエチルで単置換されたシクロアルキル；又は
Ｎ、Ｓ、及びＯから選択される１又は２個のヘテロ環原子を有し、環炭素で式Ｉの化合物の残りの部分と共有結合している５若しくは６員環の芳香族複素環である）
【請求項１４】
ｍが２又は４であり、Ｒ２が水素であり、及び
Ａが、クロロ、ブロモ、ヨード、ヒドロキシ、１又は２個の炭素原子を有するアルキル、及びパーフルオロメチルからなる群より選択される置換基で２位及び６位のそれぞれで独立に置換されたフェニルである、請求項１３に記載の医薬組成物。
【請求項１５】
Ａが、２，６−ジメチルフェニルである、請求項１３又は１４に記載の医薬組成物。
【請求項１６】
化合物が、４−（３−（２，６−ジメチルベンゾイルオキシ）フェニル）−４−オキソブタン酸である、請求項１５に記載の医薬組成物。
【請求項１７】
経口ユニット剤形である、請求項１３〜１６のいずれかに記載の医薬組成物。
【請求項１８】
インスリン抵抗性症候群、糖尿病、多嚢胞性卵巣症候群、脂質異常症、脂肪肝疾患、悪液質、肥満、アテローム性動脈硬化、及び動脈硬化からなる群より選択される疾患の治療に使用される、請求項１３〜１７のいずれかに記載の医薬組成物。
【請求項１９】
疾患が、インスリン抵抗性症候群又はII型糖尿病である、請求項１８に記載の医薬組成物。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
ヒトまたは動物におけるガン転移の予防または処置を目的とする医薬であって、アミノペプチダーゼインヒビター化合物およびアザインドール化合物から選ばれる化合物を含む前記医薬。
【請求項２】
該アミノペプチダーゼインヒビター化合物が、以下の式（I)
【化１】
2011509982.tif 000001
の化合物であることを特徴とする、請求項１に記載の医薬。
【請求項３】
該アザインドール化合物が、以下の式（II)
【化２】
2011509982.tif 000002
の化合物であることを特徴とし、
ここで基Ｒ１が、１〜６の炭素原子を有する直鎖状または分枝状のアルキルである、
請求項１に記載の医薬。
【請求項４】
該アザインドール化合物が、以下の式（III)
【化３】
2011509982.tif 000003
の化合物であることを特徴とし、
ここで基Ｒ１、Ｒ２、Ｒ３、およびＲ４がそれぞれ互いに独立に１〜６の炭素原子を有するアルキルを表す、
請求項１に記載の医薬。
【請求項５】
該アザインドール化合物が、以下の式（IV)
【化４】
2011509982.tif 000004
の化合物であることを特徴とし、
ここで基Ｒ１、Ｒ２、およびＲ３がそれぞれ互いに独立に、F、Cl、I、およびBrから選ばれるハロゲンを表す、
請求項２に記載の医薬。
【請求項６】
該アザインドール化合物が、以下の式（V)
【化５】
2011509982.tif 000005
の化合物であることを特徴とし、
ここで
基Ｒ１が、F、Cl、I、およびBrから選ばれるハロゲンであり、且つ
基Ｒ２が、１〜６の炭素原子を有する直鎖状または分枝上のアルキルである、
請求項１に記載の医薬。
【請求項７】
該アザインドール化合物が、以下の式（VI)
【化６】
2011509982.tif 000006
の化合物であることを特徴とし、
ここで基Ｒ１が、F、Cl、I、およびBrから選ばれるハロゲンである、
請求項１に記載の医薬。
【請求項８】
該アザインドール化合物が、以下の化合物
メチル  4-[([3-(4-フルオロフェニル)-4-オキソ-2-チオキソ-1,3-チアゾリジン-5-イリデン)メチル)ベンゾエート;
3,4,5-トリエトキシ-N-(2-メチル-4-ニトロフェニル)ベンズアミド;
5-(5-ブロモ-3-クロロ-2-ヒドロキシベンジリデン)-1-(4-クロロフェニル)-2,4,6-(1H,3H,5H)ピリミジントリオン;
5-ブロモ-N-(4-ブトキシフェニル)ニコチンアミド;および
3-クロロ-1-フェニル-4-[(2-フェニルエチル)アミノ]-1H-ピロール-2,5-ジオン
から選ばれることを特徴とする、請求項１に記載の医薬。
【請求項９】
該医薬が、上皮ガンの予防又は処置を目的とすることを特徴とする、請求項１〜８のいずれか１項に記載の医薬。
【請求項１０】
該上皮ガンが、直腸結腸ガンおよび乳ガンから選ばれることを特徴とする、請求項９に記載の医薬。
【手続補正２】
【補正対象書類名】明細書
【補正対象項目名】００１３
【補正方法】変更
【補正の内容】
【００１３】
本発明は、ヒト又は動物におけるガンの転移の予防又は処置を目的とする医薬であって、アミノペプチダーゼインヒビター化合物及びアザインドール化合物から選ばれる化合物を含む前記医薬を提供する。
【手続補正３】
【補正対象書類名】明細書
【補正対象項目名】００１４
【補正方法】変更
【補正の内容】
【００１４】
本発明は、より特には、ヒト又は動物におけるガンの転移の予防又は処置を目的とする医薬であって、式（I）、（II)、（III）、（IV)、（V)及び（VI)の化合物（これらは本明細書においてあとで詳細に記載される）から選ばれる抗転移化合物を含む前記医薬に関する。
【手続補正４】
【補正対象書類名】明細書
【補正対象項目名】００１５
【補正方法】変更
【補正の内容】
【００１５】
本発明は、直腸結腸ガン並びに乳ガン、肝臓ガン、膵臓ガン、前立腺ガン、及び子宮ガンの場合を含む、上皮ガンの場合における転移の予防又は処置の為の上記定義された医薬に関する。
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
対象においてコレステロール値を管理し、エネルギー消費を増加させることにより
i  I型又はII型糖尿病、
ii  肥満症、
iii  脂質異常症、
iv  関連する代謝疾患又は
v  循環器疾患
の管理又は治療をするために用いるための医薬品又は栄養補助食品の製造におけるCBD及びTHCVの使用。
【請求項２】
医薬品又は栄養補助食品が血中総コレステロールを減少させるために使いられる請求項1に記載の使用。
【請求項３】
医薬品又は栄養補助食品が総コレステロールに対してHDLコレステロールの割合を増加させるために使いられる請求項1に記載の使用。
【請求項４】
医薬品又は栄養補助食品が長期使用のために包装された請求項1に記載の使用。
【請求項５】
長期使用が、少なくとも10日間である請求項4に記載の使用。
【請求項６】
CBD及び/又はTHCVが少なくとも1つの大麻草から得られたカンナビノイド含有植物抽出物の形態である請求項1-5のいずれかに記載の使用。
【請求項７】
少なくとも1つの大麻草から得られるカンナビノイド含有植物抽出物が植物性薬物物質である請求項6に記載の使用。
【請求項８】
少なくとも1つの大麻草から得られるカンナビノイド含有植物抽出物が、その植物の全て又はいくつかの天然由来の植物中のカンナビノイドを含む、請求項6又は7に記載の使用
【請求項９】
カンナビス含有植物抽出物中の、あらゆるTHCが全て又はかなりの量が除かれている請求項8に記載の使用。
【請求項１０】
CBD及び/又はTHCVが実質的に純粋な又は単離された形態である請求項1に記載の使用。
【請求項１１】
CBD及び/又はTHCVが合成体の形態である請求項1に記載の使用。
【請求項１２】
CBDが、血中総コレステロールの減少をもたらすのに有効な用量で存在している請求項2に記載の使用。
【請求項１３】
THCVが、対象においてエネルギー代謝を増加させるのに有効な用量で存在している請求項1に記載の使用。
【請求項１４】
CBDの有効量が0.1mg/kgないし5.0mg/kgである請求項12又は13に記載の使用。
【請求項１５】
THCVが0.3mg/kgないし30.0mg/kgの用量で存在する請求項13又は14に記載の使用。
【請求項１６】
CBD及びTHCVが、体重によって予め定められた比である請求項1に記載の使用。
【請求項１７】
医薬品又は栄養補助食品が、糖尿病、肥満症、脂質異常症、関連する代謝疾患又は循環器疾患の治療において用いられる1つ以上の他の薬物と組み合わせて使用される請求項1に記載の使用。
【請求項１８】
1以上の他の薬物が、インスリン抵抗性を減弱させる薬物、インスリン分泌を促進する薬物、又はその2つの組み合わせである請求項16に記載の使用。
【請求項１９】
医薬品又は栄養補助食品がレプチン及び/又はアディポネクチンレベルの1つ以上を変化させる請求項1に記載の使用。
【請求項２０】
THCVが肥満の治療に用いられ、他の薬物が食物摂取の減少又は代謝の変化のために用いられる、請求項18に記載の使用。
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
イミダゾリキノリン誘導体を含む、結腸直腸のポリープ／ポリポーシスの治療のための組成物。
【請求項２】
イミダゾリキノリン誘導体を含む、結腸直腸の前癌病変の治療のための組成物。
【請求項３】
粘膜中の、結腸直腸の前癌病変の治療のための、請求項２に記載の組成物。
【請求項４】
イミダゾリキノリン誘導体を含む、初期の結腸直腸の癌病変の治療のための組成物。
【請求項５】
粘膜中の、初期の結腸直腸の癌病変の治療のための、請求項４に記載の組成物。
【請求項６】
イミダゾリキノリン誘導体を含む、大腸癌腫の予防のための組成物。
【請求項７】
イミダゾリキノリン誘導体を含む、結腸直腸ポリープ／ポリポーシスの結腸直腸癌腫へのトランスフォーメーションの予防のための組成物。
【請求項８】
イミダゾリキノリン誘導体を含む、結腸直腸のポリープ／ポリポーシスのアジュバント治療のための組成物。
【請求項９】
イミダゾリキノリン誘導体を含む、結腸直腸癌腫のアジュバント治療のための組成物。
【請求項１０】
患者がＨＩＶ又は免疫無防備状態の患者である、請求項１から９までのいずれか１項記載の組成物。
【請求項１１】
イミダゾリキノリン誘導体が、イミキモド、レシキモド、ソチリモドを含む群から選択される、請求項１から１０までのいずれか１項記載の組成物。
【請求項１２】
イミダゾリキノリン誘導体が、溶液、クリーム又はフォームの形で局所的に投与される、請求項１から１１までのいずれか１項記載の組成物。
【請求項１３】
イミダゾリキノリン誘導体が、数週間にわたり１週間に１〜７回投与される、請求項１から１１までのいずれか１項記載の組成物。
【請求項１４】
イミダゾリキノリン誘導体が、数週間にわたり１週間に１〜５回投与される、請求項１３に記載の組成物。
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
抗菌剤として使用するための、複数のＬＲＲ（ロイシンリッチリピート）ドメインを含んでなる単離されたタンパク質。
【請求項２】
タンパク質のＣ末端がＬＲＲドメインである、請求項１のタンパク質。
【請求項３】
ＬＲＲドメインがそれぞれ独立して、本質的に式（Ｉ）：
（Ｆ１ＬｘｘＬｘＬ（ｘｘＺ）ＹＦ２）        （Ｉ）
〔式中：
Ｆ１およびＦ２は独立して、１〜３０残基の近接アミノ酸配列であり；ｘは任意のアミノ酸であってよく；
ｘは任意のアミノ酸であってよく；
ＬはＬｅｕ、Ｉｌｅ、ＶａｌまたはＰｈｅであってよく；
ＺはＮｘＬまたはＣｘｘＬであってよく；
ＮはＡｓｎ、Ｔｈｒ、ＳｅｒまたはＣｙｓであり；
ＣはＣｙｓまたはＳｅｒであり；そして
Ｙ＝０または１である〕
のアミノ酸配列からなる、請求項１または２のタンパク質。
【請求項４】
それぞれのＬＲＲ中の少なくとも２個のＬ残基がＬｅｕである、請求項３のタンパク質。
【請求項５】
それぞれのＬＲＲ中の少なくとも３個のＬ残基がＬｅｕである、請求項４のタンパク質。
【請求項６】
少なくとも３個のＬＲＲドメインを含む、請求項１〜５のいずれかのタンパク質。
【請求項７】
少なくとも４個のＬＲＲドメインを含む、請求項１〜６のいずれかのタンパク質。
【請求項８】
少なくとも５個のＬＲＲドメインを含む、請求項１〜７のいずれかのタンパク質。
【請求項９】
少なくとも６個のＬＲＲドメインを含む、請求項１〜８のいずれかのタンパク質。
【請求項１０】
抗菌剤である、請求項１〜９のいずれかのタンパク質。
【請求項１１】
グラム陽性菌に対して使用するための、請求項１０のタンパク質。
【請求項１２】
グラム陰性菌に対して使用するための、請求項１０のタンパク質。
【請求項１３】
ヒトにおける細菌感染の処置のための、請求項１０〜１２のいずれかのタンパク質。
【請求項１４】
ＮＯＤ、ＴＬＲ、ＣＩＩＴＡから成る群から選択される、請求項１〜１３のいずれかのタンパク質。
【請求項１５】
ＮＯＤがＮＯＤ１またはＮＯＤ２である、請求項１４のタンパク質。
【請求項１６】
ＴＬＲがＴＬＲ１、ＴＬＲ２、ＴＬＲ３、ＴＬＲ４、ＴＬＲ５、ＴＬＲ６、ＴＬＲ７、ＴＬＲ８、ＴＬＲ９、ＴＬＲ１０、ＴＬＲ１１、ＴＬＲ１２、ＴＬＲ１３から成る群から選択される、請求項１４のタンパク質。
【請求項１７】
ＴＬＲがＴＬＲ２、ＴＬＲ４またはＴＬＲ５である、請求項１６のタンパク質。
【請求項１８】
タンパク質それ自体が直接的抗菌活性を有する、請求項１〜１７のいずれかのタンパク質。
【請求項１９】
直接的抗菌活性がインビトロ条件下で有効である、請求項１８のタンパク質。
【請求項２０】
抗菌剤として使用するための、５個以上のＬＲＲ（ロイシンリッチリピート）ドメインを含む請求項１〜１９のいずれかのタンパク質であって、該タンパク質のＣ末端がＬＲＲドメインであり、ＬＲＲドメインがそれぞれ独立して、式（Ｉ）：
（Ｆ１ＬｘｘＬｘＬ（ｘｘＺ）ＹＦ２）        （Ｉ）
〔式中：
Ｆ１およびＦ２は独立して、１〜３０残基の近接アミノ酸配列であり；ｘは任意のアミノ酸であってよく；
ｘは任意のアミノ酸であってよく；
ＬはＬｅｕ、Ｉｌｅ、ＶａｌまたはＰｈｅであってよく；
ＺはＮｘＬまたはＣｘｘＬであってよく；
ＮはＡｓｎ、Ｔｈｒ、ＳｅｒまたはＣｙｓであり；
ＣはＣｙｓまたはＳｅｒであり；そして
Ｙ＝０または１である〕
のアミノ酸配列を含む、タンパク質。
【請求項２１】
それぞれのＬＲＲ中の少なくとも２個のＬ残基がＬｅｕである、請求項２０のタンパク質。
【請求項２２】
請求項１〜２１のいずれかの単離されたタンパク質を含む医薬組成物。
【請求項２３】
抗菌剤として使用するための、請求項２２の医薬組成物。
【請求項２４】
感染に易罹患性の宿主における細菌感染の処置および／または予防に使用するための、請求項２２または２３の医薬組成物。
【請求項２５】
宿主がヒトのような哺乳類である、請求項２４の組成物。
【請求項２６】
ヒトがクローン病、ＩＢＤまたはＩＢＳのような消化器疾患に罹患している、請求項２４の組成物。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
少なくとも０．８ミクロンの平均凝集体サイズを有し、分散媒（ｃａｒｒｉｅｒ）中に分散したメソ多孔性酸化亜鉛凝集体を含み、可視光に対して透明であることを特徴とする、広域スペクトルのＵＶ光防護組成物。
【請求項２】
前記酸化亜鉛凝集体が、１．０ミクロンより大きい平均凝集体サイズを有する、請求項１に記載の組成物。
【請求項３】
前記メソ多孔性の酸化亜鉛凝集体が、１５より大きいＳＰＦを提供するのに効果的な量で存在する、請求項１又は２に記載の組成物。
【請求項４】
前記組成物が全組成物の５０重量％の濃度で前記酸化亜鉛凝集体を含む場合、５５０ｎｍで２０ミクロンの経路長を通る場合に全吸収率０．１５以下を有する、請求項１から３までのいずれか一項に記載の組成物。
【請求項５】
前記組成物が全組成物の３０重量％の濃度で前記酸化亜鉛凝集体を含む場合、５５０ｎｍで２０ミクロンの経路長を通る場合に全吸収率０．１４以下を有する、請求項１から３までのいずれか一項に記載の組成物。
【請求項６】
前記組成物が全組成物の２０重量％の濃度で前記酸化亜鉛凝集体を含む場合、５５０ｎｍで２０ミクロンの経路長を通る場合に全吸収率０．１２以下を有する、請求項１から３までのいずれか一項に記載の組成物。
【請求項７】
前記組成物が全組成物の１０重量％の濃度で前記酸化亜鉛凝集体を含む場合、５５０ｎｍで２０ミクロンの経路長を通る場合に全吸収率０．０６以下を有する、請求項１から３までのいずれか一項に記載の組成物。
【請求項８】
前記酸化亜鉛凝集体が少なくとも３．０ミクロンの平均凝集体サイズを有し、前記組成物が５５０ｎｍで２０ミクロンの経路長を通る場合に全吸収率０．２０以下を有する、請求項１から３までのいずれか一項に記載の組成物。
【請求項９】
前記酸化亜鉛凝集体が少なくとも２．０ミクロンの平均凝集体サイズを有し、前記組成物が５５０ｎｍで２０ミクロンの経路長を通る場合に全吸収率０．１６以下を有する、請求項１から３までのいずれか一項に記載の組成物。
【請求項１０】
ジベンゾイルメタン誘導体をさらに含む、請求項１から９までのいずれか一項に記載の組成物。
【請求項１１】
５％未満の有機日焼け止めフィルターを含む、請求項１から１０までのいずれか一項に記載の組成物。
【請求項１２】
前記有機日焼け止めフィルターがアボベンゾンである、請求項１１に記載の光安定性の可視光に透明で広域スペクトルの紫外光防護組成物。
【請求項１３】
前記酸化亜鉛凝集体が１．０ミクロンより大きい平均凝集体サイズを有し、前記組成物が５５０ｎｍで４０を超える軟焦点因子（ｓｏｆｔ  ｆｏｃｕｓ  ｆａｃｔｏｒ）を有する、請求項１から１２までのいずれか一項に記載の組成物。
【請求項１４】
前記酸化亜鉛凝集体が、１．０ミクロンより大きい平均凝集体サイズを有し、前記組成物が２５未満のＣＩＥ白色度を有する、請求項１から１３までのいずれか一項に記載の組成物。
【請求項１５】
前記酸化亜鉛凝集体が、１．０ミクロンより大きい平均凝集体サイズを有し、前記組成物が３０未満のＣＩＥ  Ｌ＊明度を有する、請求項１から１３までのいずれか一項に記載の組成物。
【請求項１６】
１種又は複数の非メソ多孔性酸化亜鉛凝集体光防護剤がＳＰＦ２単位以下だけ組成物のＳＰＦを上げる濃度で存在する、１種又は複数の該非メソ多孔性酸化亜鉛凝集体光防護剤を含む、請求項１から１５までのいずれか一項に記載の組成物。
【請求項１７】
請求項１から１６までのいずれか一項に記載の組成物と哺乳類の皮膚又は体毛を接触させることを含む、紫外線からの前記皮膚又は体毛の防護を提供する方法。
【請求項１８】
請求項１から１６までのいずれか一項に記載の組成物を含む治療上効果的な量の可視光に透明な局所用の調合品を適用することにより、にきび、乾癬、湿疹、魚鱗癬、痒み、乾燥及び皮膚炎からなる群から選択されるヒト皮膚科学的状態を治療する方法。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
一般式（Ｖ）の化合物であって、
【化１】
2011509992.tif 000001
ここで、
Ｒ３、Ｒ４、およびＲ５は、独立して、水素、または所望される場合は置換されていてもよいアルキルもしくはアルコキシ、または所望される場合は置換されていてもよい炭素環（オキシ）系もしくはヘテロ環（オキシ）系環であり、ただし、水素であるのはＲ３、Ｒ４、およびＲ５のうちの１つだけであるか、または、
Ｒ３、Ｒ４、およびＲ５の２つが互いに連結してシクロアルキル基を形成し、
Ｒ１は、水素、またはカルボキシアミド、炭素数１〜１０のアルキル、炭素数２〜１０のアルケニル、炭素数１〜３のアルキル‐アリール、炭素数１〜３のアルキル‐へテロシクリル、もしくは炭素数３〜１０のシクロアルキルであり、これらのいずれも、所望される場合は、ヒドロキシ、ハロゲン、カルボキシアミド、炭素数１〜６のハロアルキル、炭素数１〜６アルキル、または炭素数１〜６アルコキシで置換されていてよく；
Ｒ２は、アミノであり；
Ｎ＊は、Ｒ１が水素の場合はアミノであり、もしくはＲ１が置換基の場合は＝ＮＨであるか；または、
Ｎ＊は、ＲａおよびＲｂが独立してＨもしくはアルキル基である基ＮＲａＲｂであるか；または、
Ｎ＊は、所望される場合は置換されていてもよいピペラジニル環である、
化合物、またはその塩もしくは溶媒和物。
【請求項２】
Ｒ３、Ｒ４、およびＲ５の少なくとも１つが、所望される場合は置換されていてもよいフェニル基である、請求項１に記載の化合物。
【請求項３】
Ｒ３、Ｒ４、またはＲ５の少なくとも１つが、メチル、エチル、プロピル、またはブチル基である、請求項１または２に記載の化合物。
【請求項４】
Ｒ３、Ｒ４、またはＲ５の少なくとも１つが、１もしくは２つ以上のハロゲンまたはアルコキシ基で置換されたフェニル、またはフェノキシ、またはナフチル、またはキサンチル基である、請求項１から３のいずれか１項に記載の化合物。
【請求項５】
Ｒ３、Ｒ４、およびＲ５のうちの２つが互いに連結して、シクロプロピル、シクロブチル、シクロペンチル、またはシクロヘキシル基を形成する、請求項１から４のいずれか１項に記載の化合物。
【請求項６】
３，５‐ジアミノ‐６‐（ジフェニルメチル）‐１，２，４‐トリアジン、
３，５‐ジアミノ‐６‐（１，１‐ジフェニルエチル）‐１，２，４‐トリアジン、
５（３）‐アミノ‐６‐（１，１‐ジフェニルエチル）‐２，３（２，５）‐ジヒドロ‐３（５）‐イミノ‐２‐メチル‐１，２，４‐トリアジン、
３，５‐ジアミノ‐６‐（トリフェニルメチル）‐１，２，４‐トリアジン、
３，５‐ジアミノ‐６‐（１‐シクロペンチル‐１‐フェニルメチル）‐１，２，４‐トリアジン、
３，５‐ジアミノ‐６‐［１‐（６‐メトキシナフタレン）メチル）‐１，２，４‐トリアジン、
３，５‐ジアミノ‐６‐（１‐プロピルブチル）‐１，２，４‐トリアジン、
３，５‐ジアミノ‐６‐［１‐（６‐メトキシナフタレン）エチル）‐１，２，４‐トリアジン、
３，５‐ジアミノ‐６‐（１‐イソプロピル‐１‐フェニルメチル）‐１，２，４‐トリアジン、
３，５‐ジアミノ‐６‐［１，１ビス‐（４‐クロロフェニル）メチル］‐１，２，４‐トリアジン、
３，５‐ジアミノ‐６‐（９‐キサンチル）‐１，２，４‐トリアジン、または
３，５‐ジアミノ‐６‐｛１‐（４‐クロロフェノキシ）‐１‐メチル｝エチル‐１，２，４‐トリアジン、
である、請求項１に記載の化合物。
【請求項７】
５（３）‐アミノ‐６‐｛１‐［１‐（４‐クロロフェニル）］シクロペンチル｝‐２，３（２，５）‐ジヒドロ‐３（５）‐イミノ‐２‐メチル‐１，２，４‐トリアジン、
３，５‐ジアミノ‐６‐［１‐（４‐クロロフェニル）‐１‐シクロペンチル］‐１，２，４‐トリアジン、
３，５‐ジアミノ‐６‐［１‐（４‐クロロフェニル）‐１‐シクロヘキシル］‐１，２，４‐トリアジン、
３，５‐ジアミノ‐６‐［１‐（４‐クロロフェニル）‐１‐シクロブチル］‐１，２，４‐トリアジン、または、
３，５‐ジアミノ‐６‐［１‐（４‐クロロフェニル）‐１‐シクロプロピル］‐１，２，４‐トリアジン、
である、請求項１に記載の化合物。
【請求項８】
癲癇、多発性硬化症、緑内障およびウエビチス（ｕｅｖｉｔｉｓ）、脳外傷および脳虚血、脳卒中、頭部損傷、脊髄損傷、外科手術による外傷、神経変性疾患、運動ニューロン疾患、アルツハイマー病、パーキンソン病、慢性炎症性疼痛、神経因性疼痛、片頭痛、双極性障害、気分、不安、および認知障害、統合失調症、ならびに三叉神経自律神経性頭痛の治療のための、請求項１から７のいずれか１項に記載の一般式（Ｖ）および薬理学的に許容されるキャリアの医薬組成物。
【請求項９】
癲癇、多発性硬化症、緑内障およびウエビチス、脳外傷および脳虚血、脳卒中、頭部損傷、脊髄損傷、外科手術による外傷、神経変性疾患、運動ニューロン疾患、アルツハイマー病、パーキンソン病、慢性炎症性疼痛、神経因性疼痛、片頭痛、双極性障害、気分、不安、および認知障害、統合失調症、ならびに三叉神経自律神経性頭痛の治療のための医薬を作製するための、請求項１から７のいずれか１項に記載の一般式（Ｖ）の化合物の使用。